(57)【特許請求の範囲】
【請求項１】
手元ハンドル体を接続したホースと、
電動送風機を内蔵し、塵挨を含む空気を取り込む吸込口と、空気は排出する排気口を有する本体を有し、
前記ホースを前記吸込口に接続することで前記本体内部に塵挨を吸引することが可能であり、前記ホースを前記排気口に接続することで塵挨を吹き飛ばすことが可能なブロアーとして用いることができる電気掃除機において、
ブロアーとして用いる際に、前記手元ハンドル体に接続するブロアーノズルは、内部に気流であるブロー風が流れる流路を形成する筒形状の部材で構成され、前記筒形状の部材の内部には前記流路を狭める規制部が設けられ、
前記規制部は、ブロー風の流れる下流に向かって広がっており、
前記筒形状の部材は、前記規制部を囲み、ブロー風の流れる下流に向かって窄んだ形状であることを特徴とする電気掃除機。
【請求項２】
前記規制部は、複数のリブで前記ブロアーノズルに取り付けられていることを特徴とする請求項１に記載の電気掃除機。
【請求項３】
前記ブロアーノズルの内部には、規制部と共にフィルターを設けたことを特徴とする請求項１に記載の電気掃除機。
【請求項４】
前記手元ハンドル体には延長管が接続可能であり、前記ブロアーノズルは延長管に接続することで前記手元ハンドル体に間接的に接続することを特徴とする請求項１から請求項３のいずれか一項に記載の電気掃除機。
【請求項５】
前記ブロアーノズルには、前記手元ハンドル体又は延長管に連結する連結部を有し、
前記連結部には、前記手元ハンドル体又は前記延長管に設けられた係合部と係合する保持開口が備えられたことを特徴とする請求項１から請求項４のいずれか一項に記載の電気掃除機。
【発明の詳細な説明】
【技術分野】
【０００１】
本発明は、ブロー風が吹き出る部位であるブローノズルを用いる電気掃除機に関するものである。
【背景技術】
【０００２】
従来から、本体内部に塵挨を吸引するための吸引力を生じさせる電動送風機を備え、この電動送風機により生み出された気流を本体外部に排気する排気部に、塵挨を本体まで導く為のホースの接続管を接続して、本体から排出される排気流をブローの気流に用いることが可能なブロワー機能を有する電気掃除機がある。
このような、従来の電気掃除機は、吸引した塵挨を本体まで導くホースや延長管、延長管に接続し床面から塵挨を吸込む床ノズル（床面吸込み具）等からブロー風を噴き出す（例えば、特許文献１参照）。
【先行技術文献】
【特許文献】
【０００３】
【特許文献１】特許第５６３６７４３号公報
【発明の概要】
【発明が解決しようとする課題】
【０００４】
従来の構成では、ブロー風を噴き出すために用いるホースや延長管や床ノズルは、塵挨を吸込む動作の際に塵挨や異物を含んだ気流が流れることから、吸込んだ塵挨が蓄積したり、異物を吸込んだりして、内部に異物が引っ掛かっていることがある。
従って、これらの部位に引っ掛かっていた蓄積された塵挨や異物が、ブロー運転の際にブロー風に混ざって外部に飛び出してしまうという課題があった。
【０００５】
本発明は、上記のような課題を解決する為になされたもので、電気掃除機をブロワーとして用いる際に、異物の飛び出し防止することが可能なブローノズルと、このブローノズルを用いる電気掃除機を提供することを目的とする。
【課題を解決するための手段】
【０００６】
この発明に係る課題を電気掃除機は、手元ハンドル体を接続したホースと、電動送風機を内蔵し、塵挨を含む空気を取り込む吸込口と、空気は排出する排気口を有する本体を有し、ホースを吸込口に接続することで本体内部に塵挨を吸引することが可能であり、ホースを排気口に接続することで塵挨を吹き飛ばすことが可能なブロアーとして用いることができる電気掃除機において、ブロアーとして用いる際に、手元ハンドル体に接続するブロアーノズルは、内部に気流であるブロー風が流れる流路を形成する筒形状の部材で構成され、筒形状の部材の内部には流路を狭める規制部が設けられ、規制部は、ブロー風の流れる下流に向かって広がっており、筒形状の部材は、規制部を囲み、ブロー風の流れる下流に向かって窄んだ形状であることにより、課題を解決することができる。
【発明の効果】
【０００７】
本発明によれば、電気掃除機をブロワーとして用いる際に、ブロー風に混ざって異物が飛び出すのを防止することが可能なブローノズルと、このブローノズルを用いる電気掃除機を提供することが可能である。
【図面の簡単な説明】
【０００８】
【図１】電気掃除機の全体斜視図
【図２】電気掃除機本体を後方から見た斜視図
【図３】電気掃除機本体の排気口にホース３を接続した状態を後方から見た斜視図
【図４】手元ハンドル体にブローノズルを取り付けた状態を示す斜視図
【図５】延長管にブローノズルを取り付けた状態を示す斜視図
【図６】ブローノズルの斜視図
【図７】図６のＡ−Ａ断面図
【図８】ブローノズルを延長管に取り付けた状態を示す斜視図
【図９】図８のブローノズルの取り付け位置における断面図（Ｂ−Ｂ断面図）
【発明を実施するための形態】
【０００９】
以下、図１〜図９を参照して実施の形態を説明する。
まず、図１を参照して、電気掃除機１について説明する。図１は、実施の形態における電気掃除機１を示す図である。
図１に示す電気掃除機１は、床面上より塵挨を吸引する際の形態となっている。電気掃除機１は、本体（掃除機本体）２、ホース３、手元ハンドル体４、延長管５、床面吸込み具６を備える。
床面吸込み具６は、下向きに形成された開口から、床面上のごみ（塵埃）を空気と一緒に内部に取り込む部位である。この床面吸込み具６の吸気側の端部には、延長管５と接続する継手部７０が設けられている。
【００１０】
次に延長管５は、全体として真直ぐな円筒状を呈する。延長管５の一端部は床面吸込み具６の継手部７０に接続し、他端部は手元ハンドル体４に接続する。
使用者は、延長管５の吸込み側に設けられた解除ボタン５ａの操作を行うことにより、床面吸込み具６を延長管５から取り外すことができる。また、使用者は、延長管５の排気側の端部に設けられた伸縮ボタン５ｂを操作することにより、延長管５を伸縮させることができる。
【００１１】
次に、手元ハンドル体４は、延長管５と接続する管体４ａにアーチ状のハンドル４ｂが設けられた形状を成している。管体４ａの吸気側の端部は、延長管５の排気側端部に接続する。
つまり、手元ハンドル体４は、掃除を行う時に使用者が持つ部分であり、操作体となる部位である。使用者は塵挨を吸引する際には、手元ハンドル体４のハンドル４ｂを持ち、この手元ハンドル体４を操作して、床面吸込み具６を被清掃面上に位置する塵埃に近づけて吸引する。
また、使用者は、手元ハンドル体４に設けられた解除ボタン４ｃを操作することにより、延長管５を手元ハンドル体４から取り外すことができる。
【００１２】
次に、ホース３は、要部が、可撓性を備えた蛇腹状である中空の部材からなる。ホース３の吸気側の端部は、手元ハンドル体４を構成する管体４ａに接続される。ホース３は、排気側の端部は、硬質の接続部３ａを備え、この接続部３ａが本体２に接続される。
尚、図１の状態では、本体２に開口する吸込口２ａに接続している。吸込口２ａは、床面吸込み具６から吸込まれた塵挨を含む空気（含塵空気）が本体２の内部に入る開口である。
【００１３】
本体２は、ホース３の接続部３ａが接続し、含塵空気を本体２に備えられた集塵部２ｂに送る。集塵部２ｂでは、空気と塵埃を分離して塵挨を保持する。この本体２は、後部に開口する排気口２ｃより、塵埃が取り除かれた空気（清浄空気）を排出する。空気から分離したごみは、集塵部２ｂの内部に溜められる。
【００１４】
以上のように各部が接続されることで、床面吸込み具６や延長管５から、手元ハンドル体４、ホース３、本体２（集塵部）、そして、排気口２ｃへと至る一続きの風路Ｆ１が形成される。風路Ｆ１は、塵挨を捕集する場合の風路である。
尚、排気口２ｃには、吸気口２ｂと同様に、ホース３の接続部３ａが接続し、排気口２ｃとホース３とが連通するように構成されている。
【００１５】
次に、本体２は内部に電動送風機２ｄと集塵部２ｂを備える。
電動送風機２ｄは、電気掃除機１に形成される風路Ｆ１に、吸込み側である床面吸込み具６から排気口２ｃに向けて本体２内部に流下する気流を発生させる。
電動送風機１１が吸引動作を行うことにより、床面上のごみが空気と一緒に床面吸込み具６に吸い込まれる。床面吸込み具６に吸い込まれた含塵空気は、床面吸込み具６、延長管５、手元ハンドル体４の管体４ａ、ホース３の各内部を通り、本体２に送られる。
【００１６】
集塵部２ｂは、本体２の内部に流入したごみを空気（気流）から分離する。集塵部２ｂは、空気から分離したごみを捕集する。集塵部２ｂは、サイクロン式や紙パック式のものが用いられる。
また、本体２は、両側に大型の車輪２ｅを、下面に小型の車輪２ｆを備える。小型の車輪１３ｂは、その向きを自在に変えることができるように取り付けられている。これにより、本体２は、大型の車輪２ｅ及び小型の車輪２ｆが床面に接触した状態で向きを変えることができる。
【００１７】
次に、排気口２ｃについて説明する。
図２〜図３を参照すると、排気口２ｃは、本体２の後面に位置する。排気口２ｃは前後方向に延びる筒状に形成されており、前側には開口を遮るように格子２ｇが設けられている。排気口２ｃの内形状は、ホース３の接続部３ａが接続可能な形状に構成されている。
排気口２ｃに接続部３ａが接続した状態において、ホース３と排気口２ｃは一連の空間を成し、排気口２ｃから排出される気流である排気が、ホース３の内部に流入する。
【００１８】
これにより、図４〜図５を参照すると、ホース３に排気の気流を導入することができるので、ホース３が取り付けられた手元ハンドル体４の管体４ａ、又は、手元ハンドル体４に延長管５が取り付けられている場合は延長管５に、ブロアー用のアタッチメントであるブローノズル１０を取り付けることで、ブローノズル１０から排気流をブロアーに適した気流として噴き出すことが可能となる。
従って、以上のように構成することで、電気掃除機１を、塵挨を吸引して捕集するクリーナーとして用いることができると共に、吹き出す気流で塵埃を飛ばすブロアーとしても用いることができる。
【００１９】
次に、本発明の要部であるブローノズル１０について説明する。
図６〜図７を参照すると、ブローノズル１０は、前端と後端が開口する円筒形状を成している。前端の開口は前開口１０ａ、後端の開口は後開口１０ｂである。後開口１０ｂから前開口１０ａに至る空間は、ブロー風の風路となる。
また、ブローノズル１０には、外周面を環状に囲むリブ１１が設けられている。
【００２０】
このリブ１１から後開口１０ｂに至るブローノズル１０の部位は、連結部１２が形成されている。連結部１２は、手元ハンドル体４の管体４ａ、又は、手元ハンドル体４に延長管５が取り付けられている場合は延長管５と、ブローノズル１０が連結する部位である。
連結部１２には、前後方向に長く突出したガイド１２ａと、表面が凹んだ係合凹部１２ｂと、貫通した開口である保持開口１２ｃが形成されている。
【００２１】
次に、ブローノズル１０のリブ１１より前側の外形状は、リブ１１から前開口１０ａにかけて窄むテーパー形状を成している。リブ１１から前開口１０ａに至る内形状は、外形状に沿って、窄んだ形状となっている。
更に、ブローノズル１０の内部には、規制部１３が設けられている。本実施の形態の場合、ブローノズル１０の内部であって前開口１０ａに近い位置に、規制部１３が備えられている。
【００２２】
規制部１３は、ブロー風の風路となる前開口１０ａの開口面積を狭めるものであり、前方に向かって広がる（ブロー風の流れる下流に向かって広がる）規制体１２ａと、この規制体１３ａと前開口１０ａの開口縁をつなぐ接続リブ１３ｂから構成されている。
尚、本実施の形態の規制体１３ａは、後方に頂点を向けて前方に向けて広がる形状を成している。つまり、規制体１３ａの位置で、前方に行くにつれて緩やかに風路が狭められる形態となっている。
そして、規制体１３ａの広がった端と、前開口１０ａの開口縁が、接続リブ１３ｂにより接続されている。本実施の形態の場合、規制体１３ａの形状は、後方に頂点を向けて前方に向けて広がる円錐形状である。
【００２３】
以上のように各部が構成されたブローノズル１０は、次のように用いられる。
まず、ブローノズル１０は、手元ハンドル体４の管体４ａの接続開口４ｄ、又は、手元ハンドル体４に延長管５が取り付けられている場合は延長管５の接続開口５ｄに、連結部１２が入り込むことで、管体４ａ又は延長管５に取り付けられる。
このとき、ブローノズル１０のガイド１２ａが、管体４ａの接続開口４ｄの内部又は延長管５の接続開口５ｄの内部に設けたガイド受け（図示せず）にガイドされることで、ブローノズル１０は、所定の取り付け位置に導かれる。
【００２４】
リブ１１が管体４ａの接続開口４ｄの開口縁又は延長管５の接続開口５ｄの開口縁に突き当たることで、ブローノズル１０の位置が決まる。この状態で、ブローノズル１０の係合凹部１２ｂに、管体４ａ又は延長管５の接続開口に設けられた係合爪（図示せず）が入り込むことで、ブローノズル１０の抜けが防止される。
尚、手元ハンドル４に設けられた解除ボタン４ｃ、又は、延長管５に設けられた解除ボタン５ａを操作することにより、係合を解除して、ブローノズル１０を取り外すことが可能である。
【００２５】
上記のように、排気口２ｃにホース３の接続部３ａが接続して、ブローノズル１０が、管体４ａ又は延長管５の接続開口に接続した状態で電動送風機を動作させることで、排気風がブローノズル１０から吹き出される。
このとき、ブローノズル１０の前開口１０ａには、前開口１０ａの開口面積を狭める規制部１３が位置しているので、ブロー風に混ざっている異物を、規制部１３が捕捉することができる。
特に、ホース３は、ゴミを吸引する際（クリーナー機能）にも用いることから、異物が引っ掛かることがあり、この様なホース３をブローの際にも共通で用いる本発明の形態では特に有効である。
【００２６】
また、規制部１３が設けられているので、ノズル１３の内部を通過する空気の風路を縮小し、開口部１５から空気を排出させる。これにより、ブロー風の風速を速め、より大きな塵埃も飛ばすことができる。また、規制部１３を設けずに風路を縮小した場合よりも、広範囲に空気を排出することができる。
更に規制部１３は、ブロー風を噴き出す方向でもある前方に向けて広がる円錐形状をしているので、ブローノズル１０の内部の風路をゆるやかに縮小させ、これにより風路縮小による圧力損失を低減させることができる。
更に、接続リブ１３ｂにより通過する気流を整流させることができ、これにより排出される空気の気流音を低減させることができる。
【００２７】
以上の形態に加え、ブローノズル１０内部の前開口１０ａに至る部分に、規制部１３と共に、フィルター（図示せず）を設けることで、さらに細かい異物の飛び出しを防止させることができる。
本実施の形態では、規制部１３を上記のような円錐形状としたが、ブロー風の整流効果や防音効果を狙うものでなければ、格子状の部材や網目状の部材としても異物の吹き出しを防止することができる
【００２８】
次に、ブローノズル１０の収納状態について説明する。
図５、図８〜図９に示すように、延長管５の側面には、係合部５０が設けられている。
係合部５０はＬ字形状を成しており、一端が延長管５の側面に接続し、延長管５の長手方向に伸び、先端を延長管５側に曲げることで、係合爪５１が形成されている。
【００２９】
この様に構成された係合部５０には、次のようにブローノズル１０が取り付けられる。
後開口１０ｂから係合爪５１が入り込むように、ブローノズル１０を係合部５０に取り付ける。ブローノズル１０に形成された保持開口１２ｃに、ブローノズル１０の内側から係合爪５１が入り込み、保持開口１２ｃに係合爪５１が係合し、ブローノズル１０が延長管５の側面に取り付けられる。
【００３０】
これにより、使用者はブロー機能を使用したい時、すみやかにブローノズル１０を用意することができる。さらに、ブローノズル１０の連結部１２に、保持開口１２ｃを形成しているので、
保持開口１２ｃの形状が貫通する穴であっても、ブロー機能使用時には、保持開口１２ｃは延長管５又は手元ハンドル体４の管体４ａの内部に位置するので、保持開口１２ｃから空気が漏れることがない。
尚、ブローノズル１０を保持するための係合部５０は、延長管５に設けられた例で説明したが、手元ハンドル４に設けても良い。
【符号の説明】
【００３１】
１  電気掃除機、２  本体、３  ホース、４  手元ハンドル体、５  延長管、６  床面吸込み具、１０  ブローノズル、１３  規制部
【図１】
0006503918.tif 000002
【図２】
0006503918.tif 000003
【図３】
0006503918.tif 000004
【図４】
0006503918.tif 000005
【図５】
0006503918.tif 000006
【図６】
0006503918.tif 000007
【図７】
0006503918.tif 000008
【図８】
0006503918.tif 000009
【図９】
0006503918.tif 000010